(57)【要約】【課題】  維持管理が簡単で、防水性や耐久性に優れ、使用環境を改善でき、製品バリエーションを任意に設定することができるマンホール型の災害時用簡易トイレを提供する。【解決手段】  地表Ｇ下の地中に埋設しておき災害発生時に使用するマンホール型の災害時用簡易トイレＡであって、コンクリートにより一体成型されて上部が開口しており内部に排泄物を収納する空間Ｓの大部分を構成する有底略円筒形の下部貯留層体１と、この下部貯留層体１の上部に載置されて空間Ｓの一部を構成する略円筒形の上部貯留層体２と、この上部貯留層体２の上部開口個所に載置されて通常は空間Ｓを隠すと共に使用時には空間Ｓを確認できて排泄行為を可能とする蓋体３とを有し、下部貯留層体１の底１ａの内側が少なくとも１カ所で窪んで凹部１ｂを有している。【選択図】図１
0003206900.tif 000002
【実用新案登録請求の範囲】
【請求項１】
地中に埋設しておき災害発生時に使用するマンホール型の災害時用簡易トイレであって、コンクリートにより一体成型されて上部が開口しており内部に排泄物を収納する空間の大部分を構成する有底略円筒形の下部貯留層体と、この下部貯留層体の上部に載置されて前記空間の一部を構成する略円筒形の上部貯留層体と、この上部貯留層体の上部開口個所に載置されて通常は前記空間を隠すと共に使用時には前記空間を確認できて排泄行為を可能とする蓋体とを有し、前記下部貯留層体の底の内側が少なくとも１カ所で窪んでいることを特徴とする災害時用簡易トイレ。
【請求項２】
少なくとも前記下部貯留層体と前記上部貯留層体は、コンクリートに防水剤を混成してなる材料にて成型されていることを特徴とする請求項１に記載の災害時用簡易トイレ。
【請求項３】
地表上に立設して前記空間と連通可能な煙突状の臭気抜装置を装着するための地中に埋設された通気管体が前記上部貯留層体または前記下部貯留層体に備えられており、前記臭気抜装置が前記空間に収納可能とすることを特徴とする請求項１または請求項２に記載の災害時用簡易トイレ。
【請求項４】
前記下部貯留層体と前記上部貯留層体との間に挿入されて前記空間の容量を増加させるための略円筒形の中間貯留層体を有することを特徴とする請求項１から請求項３の何れかに記載の災害時用簡易トイレ。
【考案の詳細な説明】
【技術分野】
【０００１】  本考案は、避難場所の地中に予め埋設しておき、災害発生時に利用するマンホール型の災害時用簡易トイレに関するものである。
【背景技術】
【０００２】  地震、豪雨、津波などの災害発生時に、建物や住居などの施設が使用不可となったり、水道、電気などのライフラインが損傷したりすることで、トイレが使用できなくなる場合がある。【０００３】  このような非常事態に備えて、公園、学校の校庭などの指定避難場所の地中に予め埋設しておき、通常は蓋をしておき、斯かる非常事態などの使用時にその蓋を開けて使用するマンホール型の災害時用簡易トイレが知られている（例えば、特許文献１〜４参照。）。
【先行技術文献】
【特許文献】
【０００４】
【特許文献１】  特開２０１２−２４３２８号公報
【特許文献２】  特開２０００−１７５８４０号公報
【特許文献３】  実用新案登録第３０４０９７７号公報
【特許文献４】  特開平１１−１９７０５８号公報
【考案の概要】
【考案が解決しようとする課題】
【０００５】  従来の災害時用簡易トイレは、内部に排泄物を収納する空間を有する貯留層が有底略円筒形であり、その底が平坦な面状であることから、後日、排泄物を除去するために例えばバキュームカーによる吸引作業を行う際において完全に排泄物を吸引することが困難であるばかりか、例えば高圧水洗浄装置による貯留層を行う際においても完全に内部を洗浄することが困難であるという維持管理の問題を有していた。【０００６】  また、貯留層から排泄物が土中へ流出したり、あるいは反対に、土中の水分や土砂などが貯留層へ流入したりしないように、貯留層の内面または／および外面に防水塗料や防水シートなどの施行を行うという防水処理が必要であったが、長期間における耐久性維持に問題があるという防水性や耐久性の問題を有していた。【０００７】  また、排泄物が貯留層に溜まることにより、臭気が貯留層から上方へ移動すると、使用時に不快な気分になるという使用環境の問題を有していた。【０００８】  本考案は、このような従来の構成が有している問題を解決するものであり、維持管理が簡単で、防水性や耐久性に優れ、使用環境を改善でき、製品バリエーションを任意に設定することができるマンホール型の災害時用簡易トイレを実現することを目的とするものである。
【課題を解決するための手段】
【０００９】  本考案の災害時用簡易トイレは、前記目的を達成するために、地中に埋設しておき災害発生時に使用するマンホール型の災害時用簡易トイレであって、コンクリートにより一体成型されて上部が開口しており内部に排泄物を収納する空間の大部分を構成する有底略円筒形の下部貯留層体と、この下部貯留層体の上部に載置されて前記空間の一部を構成する略円筒形の上部貯留層体と、この上部貯留層体の上部開口個所に載置されて通常は前記空間を隠すと共に使用時には前記空間を確認できて排泄行為を可能とする蓋体とを有し、前記下部貯留層体の底の内側が少なくとも１カ所で窪んでいるものである。【００１０】  上記構成により、排泄物を収納する空間の大部分を構成する下部貯留層体に前記排泄物が集中して収納されるため、例えばバキュームカーによる吸引作業を行う際において完全に排泄物を吸引することが容易になり、例えば高圧水洗浄装置による貯留層を行う際においても完全に内部を洗浄することができる。【００１１】  また、少なくとも前記下部貯留層体と前記上部貯留層体は、コンクリートに防水剤を混成してなる材料にて成型されているものである。【００１２】  上記構成により、防水塗料や防水シートなどの施行による構造に比べて長期間における耐久性維持が確実にできる。【００１３】  また、地表上に立設して前記空間と連通可能な煙突状の臭気抜装置を装着するための地中に埋設された通気管体が前記上部貯留層体または前記下部貯留層体に備えられており、前記臭気抜装置が前記空間に収納可能とするものである。【００１４】  上記構成により、臭気を大気中へ逃がすことができるので、使用時に不快な気分になるという使用環境を改善することができ、更に、通常は使用しない臭気抜装置の保管もできるので好適である。【００１５】  また、前記下部貯留層体と前記上部貯留層体との間に挿入されて前記空間の容量を増加させるための略円筒形の中間貯留層体を有するものである。【００１６】  上記構成により、前記下部貯留層体や前記上部貯留層体などは共通化して、前記中間貯留層体を選択することにより、前記空間の容量を想定利用状況に応じて任意に調整することが可能となるので、安価で異容量の製品バリエーションを実現することができる。
【考案の効果】
【００１７】  上述したように本考案に係る災害時用簡易トイレは、維持管理が簡単で、防水性や耐久性に優れ、使用環境を改善でき、製品バリエーションを任意に設定することができるものである。
【図面の簡単な説明】
【００１８】
【図１】  本考案の実施形態を示す要部断面図
【図２】  同上実施形態を示す説明図
【図３】  同上実施形態を示す説明図
【図４】  同上実施形態を示す説明図
【図５】  同上実施形態を示す写真
【図６】  同上実施形態の変更を示す要部断面図
【考案を実施するための形態】
【００１９】  以下、本考案の実施形態を図面に基づいて説明する。
【００２０】  地表Ｇ下の地中に埋設しておき災害発生時に使用するマンホール型の災害時用簡易トイレＡは、コンクリートにより一体成型されて上部が開口しており内部に排泄物を収納する空間Ｓの大部分を構成する有底略円筒形（断面略Ｕ字状）の下部貯留層体１と、この下部貯留層体１の上部に載置されて空間Ｓの一部を構成する略円筒形の上部貯留層体２と、この上部貯留層体２の上部開口個所に載置されて通常は前記空間を隠すと共に使用時には前記空間を確認できて排泄行為を可能とする蓋体３とを有している（図１、図５参照）。
【００２１】  なお、上部留層体２の開口下方の口径は、下部留層体１の開口上部の口径と同寸法であるが、上部留層体２の開口下方の口径は、若干小さくなるように上部留層体２の筒状部分は下方へ広がる傾斜面形状となっている（図１、図５参照）。
【００２２】  また、上部留層体２と蓋体３との間には、マンホールでは一般的に使われている地表Ｇとの高さ調整用のコンクリートにより一体成型された略円筒形の調整リング体４を有しているが、災害時用簡易トイレＡの機能としては必ずしも必要な部品ではなく、災害時用簡易トイレＡの現物写真である図５では省略している。
【００２３】  斯かる災害時用簡易トイレＡは、下部貯留層体１の底１ａの内側が少なくとも１カ所で窪んで凹部１ｂを有しているため、排泄物を収納する空間Ｓの大部分を構成する下部貯留層体１に排泄物が集中して収納されるため、例えばバキュームカーＢの吸引ホースＨによる吸引作業を行う際において完全に排泄物を吸引することが容易になり、例えば高圧水洗浄装置Ｗで完全に空間Ｓの内部を洗浄することができる（図２参照）。
【００２４】  なお、下部貯留層体１の底１ａの内側に設ける凹部１ｂは、少なくとも１カ所有れば良く、底１ａの大きさに応じて複数個所有しても構わないもので、図面では、底１ａが全体に逆円錐（すり鉢）状に成形されており、その中央（中心）部が凹部１ｂとなっている。
【００２５】  また、少なくとも下部貯留層体１と上部貯留層体２は、コンクリートに防水剤を混成してなる材料にて成型されているものである。
【００２６】  この構成により、防水塗料や防水シートなどの施行による構造に比べて長期間における耐久性維持が確実にできるが、必要に応じて従来と同様に防水塗料や防水シートなどの施行による防水処理を施しても良い。
【００２７】  また、地表Ｇ上に立設して空間Ｓと連通可能な煙突状の臭気抜装置５を装着するための地中に埋設された通気管体６が上部貯留層体２に備えられており（図３参照）、臭気抜装置５が空間Ｓに収納可能としている（図４参照）が、図３および図４において、蓋体３は、簡略化して記載している。
【００２８】  なお、通気管体６は、空間Ｓ内の排泄物の影響を受けにくくするためにできるだけ災害時用簡易トイレＡの上方に配置することが望ましく、この実施形態では上部貯留層体２に設置している。
【００２９】  上記構成により、臭気を大気中へ逃がすことができるので、使用時に不快な気分になるという使用環境を改善することができ、災害時用簡易トイレＡの非使用時において臭気抜装置５の保管もできるので好適である。
【００３０】  更に、災害時用簡易トイレＡの使用時に周囲から隔離した空間であるトイレブースを構成するためのテント状の覆い体Ｃを設置することはプライバシーの観点から望ましいが、この覆い体Ｃも災害時用簡易トイレＡの非使用時において空間Ｓに収納しておくことができる（図３、図４参照）。
【００３１】  また、実施形態の変更を示すものとして、下部貯留層体１と上部貯留層体２との間に挿入されて空間Ｓの容量を増加させるためのコンクリートにより一体成型された略円筒形の中間貯留層体７を組み合わせることができる（図６参照）。
【００３２】  上記構成により、下部貯留層体１や上部貯留層体２などは共通化して、中間貯留層体７を選択することにより、空間Ｓの容量を想定利用状況に応じて任意に調整することが可能となるので、安価で異容量の製品バリエーションを実現することができる。
【００３３】  上述したように、本考案に係る災害時用簡易トイレＡは、状来の類似品に比して、維持管理が簡単で、防水性や耐久性に優れ、使用環境を改善でき、製品バリエーションを任意に設定することができるものである。
【符号の説明】
【００３４】    １  下部貯留層体
１ａ  底
１ｂ  凹部
２  上部貯留層体
３  蓋体
４  調整リング体
５  臭気抜装置
６  通気管体
７  中間貯留層体
Ａ  災害時用簡易トイレ
Ｇ  地表
Ｓ  空間
Ｂ  バキュームカー
Ｈ  吸引ホース
Ｗ  高圧水洗浄装置
Ｃ  覆い体
【図１】
0003206900.tif 000003
【図２】
0003206900.tif 000004
【図３】
0003206900.tif 000005
【図４】
0003206900.tif 000006
【図５】
0003206900.tif 000007
【図６】
0003206900.tif 000008